(57)【要約】【課題】胴体用開口の周囲における厚さの均一性を向上することにより、使い捨ておむつの着用感を向上する。【解決手段】使い捨ておむつ１は、排泄物を受ける本体部２、本体部２の前方部２ａおよび後方部２ｂを覆う前方部被覆シート３１および後方部被覆シート３２を備える。前方部被覆シート３１には、上端よりも下側の位置から下端部３１２に向かって切り込み部３０が設けられ、折り返し用部材４１が、切り込み部３０の左右方向の両側において前方部被覆シート３１に接合される。これにより、切り込み部３０の両側から左右へと折り返された形状を有し、切り込み部３０を塞ぎつつ切り込み部３０の左右への広がりを可能とする折り返し部が形成される。その結果、折り返し部の形状の影響を避けて胴体用開口の周囲における厚さの均一性を向上し、使い捨ておむつ１の着用感を向上することができる。【選択図】図４
2006149464.tif 000002
【特許請求の範囲】
【請求項１】
上端に胴体用開口を有し、下端に一対の脚部用開口を有するトランクスタイプの使い捨ておむつであって、
着用者の腹側および背側の肌に接する前方部および後方部の間で折り畳まれ、折り曲げ部が下側に向けられた略シート状の本体部と、
前記前方部を着用者側とは反対側から覆い、上端よりも所定の距離だけ下側の位置から下端に向かって切り込み部が形成された前方部被覆シートと、
前記後方部を前記着用者側とは反対側から覆う後方部被覆シートと、
前記切り込み部の両側から左右へと少なくとも１回以上折り返された形状を有し、前記切り込み部を塞ぎつつ前記切り込み部の左右への広がりを可能とする折り返し部と、
を備えることを特徴とする使い捨ておむつ。
【請求項２】
請求項１に記載の使い捨ておむつであって、
前記折り返し部が、前記切り込み部の両側において前記前方部被覆シートに接合される折り返し用部材を備えることを特徴とする使い捨ておむつ。
【請求項３】
請求項２に記載の使い捨ておむつであって、
前記折り返し用部材が、両側の端部を内側に折り曲げ、前記両側の端部が前記切り込み部の前記両側に接合された単一の部材であることを特徴とする使い捨ておむつ。
【請求項４】
請求項２に記載の使い捨ておむつであって、
前記折り返し用部材が、
一端が前記切り込み部の一方側に重ねて前記前方部被覆シートに接合され、他端が前記本体部の前記前方部に接合される第１部材と、
一端が前記切り込み部の他方側に重ねて前記前方部被覆シートに接合され、他端が前記本体部の前記前方部に接合される第２部材と、
を備え、
前記折り返し部が、前記第１部材、前記第２部材、および、前記前方部の中央部分により形成されることを特徴とする使い捨ておむつ。
【請求項５】
請求項１に記載の使い捨ておむつであって、
前記折り返し部が、前記前方部被覆シートを形成するシートに形成された切り込みの両側の部位を前記着用者側に折り曲げて前記本体部の前記前方部に接合することにより形成されることを特徴とする使い捨ておむつ。
【請求項６】
請求項１ないし５のいずれかに記載の使い捨ておむつであって、
前記前方部被覆シートの下端部が、左右方向の中央部分において前記本体部の前記折り曲げ部に接合され、前記後方部被覆シートとは非接合状態とされることを特徴とする使い捨ておむつ。
【請求項７】
請求項１ないし６のいずれかに記載の使い捨ておむつであって、
前記後方部被覆シートの上端よりも所定の距離だけ下側の位置から下端に向かってもう１つの切り込み部が形成され、前記もう１つの切り込み部の両側から左右へと少なくとも１回以上折り返された形状を有し、前記もう１つの切り込み部を塞ぎつつ前記もう１つの切り込み部の左右への広がりを可能とするもう１つの折り返し部をさらに備えることを特徴とする使い捨ておむつ。
【発明の詳細な説明】
【技術分野】
【０００１】
本発明は、トランクスタイプの使い捨ておむつに関する。
【背景技術】
【０００２】
従来より、使い捨ておむつとして、着用者の肌に接して排泄物を受けるおむつ本体部を外側から覆って隠蔽する被覆体を有するものも利用されている。このような使い捨ておむつでは、着用者の脚の動きが妨げられないように、被覆体の形状は通常、比較的大きい脚部用開口を有するトランクスタイプとされる。
【０００３】
特許文献１では、２枚の矩形シートをおむつ本体部を挟んで重ね合わせてトランクスタイプの被覆体を形成し、これらのシートの中央部に、使い捨ておむつの上下方向に沿って互いに平行に伸びるＺ字型および逆Ｚ字型の折曲部を上端から下端に亘って設けることにより、着用者の脚の動きに対する制限を緩和する形状を実現するとともに、被覆体の構造を簡素化してコストの低減を図る技術が開示されている。
【特許文献１】特開平１１−２０６８０８号公報
【発明の開示】
【発明が解決しようとする課題】
【０００４】
ところで、このような被覆体によりおむつ本体部の上部まで隠蔽する場合、特許文献１の使い捨ておむつでは、胴回り開口部の周囲にまで折曲部が設けられることとなり、着用者の胴体の周囲の一部において被覆体を形成するシートが重なり合って厚くなる。その結果、着用者に胴回りにおけるごわつき感を与えてしまい、特に肌が弱い高齢者が着用した場合、胴回りの肌にかぶれを生じる恐れがある。また、２枚のシートの下端部を着用者の股下部において互いに接合しているため、接合部が内腿に擦れて着用感が悪くなってしまう。さらに、被覆体の折曲部の形成において、シートの中央部に対する複数回の折り曲げ工程が必要となるため、使い捨ておむつの製造が複雑化してしまう。
【０００５】
本発明は、上記課題に鑑みなされたものであり、胴体用開口の周囲における厚さの均一性を向上することにより、トランクスタイプの使い捨ておむつの着用感を向上することを主たる目的としている。
【課題を解決するための手段】
【０００６】
請求項１に記載の発明は、上端に胴体用開口を有し、下端に一対の脚部用開口を有するトランクスタイプの使い捨ておむつであって、着用者の腹側および背側の肌に接する前方部および後方部の間で折り畳まれ、折り曲げ部が下側に向けられた略シート状の本体部と、前記前方部を着用者側とは反対側から覆い、上端よりも所定の距離だけ下側の位置から下端に向かって切り込み部が形成された前方部被覆シートと、前記後方部を前記着用者側とは反対側から覆う後方部被覆シートと、前記切り込み部の両側から左右へと少なくとも１回以上折り返された形状を有し、前記切り込み部を塞ぎつつ前記切り込み部の左右への広がりを可能とする折り返し部とを備える。
【０００７】
請求項２に記載の発明は、請求項１に記載の使い捨ておむつであって、前記折り返し部が、前記切り込み部の両側において前記前方部被覆シートに接合される折り返し用部材を備える。
【０００８】
請求項３に記載の発明は、請求項２に記載の使い捨ておむつであって、前記折り返し用部材が、両側の端部を内側に折り曲げ、前記両側の端部が前記切り込み部の前記両側に接合された単一の部材である。
【０００９】
請求項４に記載の発明は、請求項２に記載の使い捨ておむつであって、前記折り返し用部材が、一端が前記切り込み部の一方側に重ねて前記前方部被覆シートに接合され、他端が前記本体部の前記前方部に接合される第１部材と、一端が前記切り込み部の他方側に重ねて前記前方部被覆シートに接合され、他端が前記本体部の前記前方部に接合される第２部材とを備え、前記折り返し部が、前記第１部材、前記第２部材、および、前記前方部の中央部分により形成される。
【００１０】
請求項５に記載の発明は、請求項１に記載の使い捨ておむつであって、前記折り返し部が、前記前方部被覆シートを形成するシートに形成された切り込みの両側の部位を前記着用者側に折り曲げて前記本体部の前記前方部に接合することにより形成される。
【００１１】
請求項６に記載の発明は、請求項１ないし５のいずれかに記載の使い捨ておむつであって、前記前方部被覆シートの下端部が、左右方向の中央部分において前記本体部の前記折り曲げ部に接合され、前記後方部被覆シートとは非接合状態とされる。
【００１２】
請求項７に記載の発明は、請求項１ないし６のいずれかに記載の使い捨ておむつであって、前記後方部被覆シートの上端よりも所定の距離だけ下側の位置から下端に向かってもう１つの切り込み部が形成され、前記もう１つの切り込み部の両側から左右へと少なくとも１回以上折り返された形状を有し、前記もう１つの切り込み部を塞ぎつつ前記もう１つの切り込み部の左右への広がりを可能とするもう１つの折り返し部をさらに備える。
【発明の効果】
【００１３】
本発明では、胴体用開口の周囲における厚さの均一性を向上することにより、使い捨ておむつの着用感を向上することができる。
【００１４】
請求項２ないし４の発明では、折り返し用部材を用いることにより、折り返し部を容易に形成することができる。請求項５の発明では、別部材を用いることなく折り返し部を容易に形成することができる。
【００１５】
請求項６の発明では、前方部被覆シートと後方部被覆シートとの接合部が肌に接触することを防止することにより、使い捨ておむつの着用感をさらに向上することができる。請求項７の発明では、着用者の脚の動きに対する制限をより緩和することができる。
【発明を実施するための最良の形態】
【００１６】
図１は、本発明の第１の実施の形態に係る使い捨ておむつ１の構成を示す図である。使い捨ておむつ１は、上端に胴体用開口１１を有し、下端に一対の脚部用開口１２を有するトランクスタイプの使い捨ておむつである。脚部用開口１２は、通常の着用者の大腿部より大きな径を有する。図１では、手前側が着用者の腹側に相当し、奥側が着用者の背側に相当する。また、図１では、被覆体３の一部を省略して内側を示す。
【００１７】
図１に示すように、使い捨ておむつ１は、着用者に接して排泄物を受ける本体部２、および、本体部２を覆って隠蔽する被覆体３を備え、被覆体３の腹側には使い捨ておむつ１の上下方向に略平行な２つの切り込み３０１（以下、これらの切り込み３０１をまとめて「切り込み部３０」という。）が設けられる。使い捨ておむつ１は、また、切り込み部３０を塞ぎつつ（すなわち、２つの切り込み３０１をまとめて塞ぎつつ）切り込み部３０の左右方向（すなわち、上下方向と垂直な方向）への広がりを可能とする折り返し部４をさらに備える。
【００１８】
図２は本体部２を広げた状態にて示す平面図である。図２に示すように、本体部２は略シート状であり、着用者の腹側および背側の肌に接する前方部２ａおよび後方部２ｂを備える。図１では前方部２ａと後方部２ｂとが向かい合うように折り畳まれており、図２では、本体部２の手前側の主面が着用者に接する面となる。本体部２の左右両側には、本体部２の長手方向のほぼ全長に亘って一対の側壁部２４が設けられる。一対の側壁部２４のそれぞれには、本体部２の長手方向に伸びる複数の弾性部材２４１が接合されており、本体部２を広げた状態では、弾性部材２４１は伸張状態となっている。
【００１９】
本体部２では、弾性部材２４１が収縮することにより側壁部２４および本体部２の下側のシートが着用者側に向かって立ち上がって着用時に着用者の足の付け根近傍に当接する立体ギャザー（いわゆる、レッグギャザー）が形成される。側壁部２４は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。使い捨ておむつ１の快適性向上の観点からは、側壁部２４は通気性を有することが好ましい。
【００２０】
図３は、本体部２のおよそ中央で長手方向に垂直な面で切断した断面図である。図２および図３に示すように、本体部２は、吸液性の吸収コア２２、吸収コア２２の着用者側の主面を覆うトップシート２１、および、吸収コア２２のもう一方の主面を覆うバックシート２３を備え、吸収コア２２の側方には側壁部２４が接合される。トップシート２１とバックシート２３とは、ホットメルト接着剤等により吸収コア２２の周囲にて接合される。
【００２１】
トップシート２１は透液性の材料、例えば、親水性繊維により形成された不織布であり、着用者からの排泄物の水分を捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を活性剤により親水処理した疎水性繊維（例えば、ポリプロピレン、ポリエチレン、ポリエステル、ポリアミド、ナイロン）により形成された透液性の不織布が利用されてもよく、また、開孔を有するプラスチックフィルムが利用されてもよい。
【００２２】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性シートにより包み込んで形成され、トップシート２１を透過した水分を吸収して迅速に固定する。親水性繊維を包むティッシュペーパー等は、親水性繊維の型崩れ、および、吸水性ポリマーの脱落を防止する。
【００２３】
バックシート２３は撥水性または不透液性の不織布であり、トップシート２１を透過した水分、および、吸収コア２２に一旦吸収された水分が、本体部２の外側（すなわち、着用者側とは反対側）にしみ出すのを防止する。バックシート２３として利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２４】
図４は、使い捨ておむつ１の分解斜視図である。図４に示すように、使い捨ておむつ１では、本体部２は、前方部２ａおよび後方部２ｂの間の折り曲げ部２ｃにて折り畳まれ、折り曲げ部２ｃは、図１に示すように下側（着用時の上下方向を基準とした場合の下側）に向けられる。図１および図４に示すように、被覆体３は、本体部２の前方部２ａを着用者側とは反対側から覆う略矩形の前方部被覆シート３１、および、本体部２の後方部２ｂを着用者側とは反対側から覆う略矩形の後方部被覆シート３２を備える。
【００２５】
前方部被覆シート３１および後方部被覆シート３２は、光反射率や光拡散率が高い素材、あるいは、光透過率が低い素材等により形成され、本体部２を他人の視線から隠蔽する。前方部被覆シート３１および後方部被覆シート３２の上端部３１１，３２１の少なくとも一部には、使い捨ておむつ１の着用を容易にし、また、使い捨ておむつ１の上端部を胴回りにフィットさせるための弾性部材が設けられている。
【００２６】
図４に示すように、前方部被覆シート３１の左右方向の略中央には、上端よりも所定の距離だけ下側の位置から下端部３１２のエッジに向かって形成された切り込み部３０（すなわち、２つの切り込み３０１）が設けられる。使い捨ておむつ１では、前方部被覆シート３１側にホットメルト接着剤５（図４中にて平行斜線を付して示す。他の部位に塗布されるホットメルト接着剤５についても同様。）が塗布された折り返し用部材４１が、前方部被覆シート３１の着用者側に切り込み部３０を塞ぐように接合されて折り返し部４（図１参照）が形成される。このとき、折り返し用部材４１は、下端部のエッジを前方部被覆シート３１の下端部３１２のエッジとほぼ一致させて接合される。
【００２７】
使い捨ておむつ１が形成される際には、図４に示すように、後方部被覆シート３２の中央部分にＴ字型にホットメルト接着剤５が塗布され、本体部２の後方部２ｂが後方部被覆シート３２上に接合される。そして、後方部被覆シート３２の左右の端部３２３、および、本体部２の前方部２ａにホットメルト接着剤５が塗布され、折り返し用部材４１が接合された前方部被覆シート３１が、本体部２および後方部被覆シート３２と接合されて使い捨ておむつ１が形成される。なお、接合順序は適宜変更されてよい。
【００２８】
使い捨ておむつ１では、前方部被覆シート３１および後方部被覆シート３２が、両被覆シートの左右方向の端部３１３，３２３のエッジをほぼ一致させて互いに接合される。また、両被覆シートの下端部３１２，３２２のエッジ、並びに、本体部２の折り曲げ部２ｃのエッジもほぼ一致するように接合される。さらに、前方部被覆シート３１の下端部３１２は、左右方向の中央部分において折り返し用部材４１を介して本体部２の折り曲げ部２ｃに接合され、後方部被覆シート３２とは非接合状態とされる。後方部被覆シート３２の下端部３２２も同様に、本体部２の折り曲げ部２ｃにのみ接合される。
【００２９】
このように、前方部被覆シート３１および後方部被覆シート３２の左右方向の端部３１３，３２３が上下方向の全長に亘って接合され、下端部３１２，３２２が左右方向の中央部分において本体部２と接合されることにより、図１に示すように、上端に胴体用開口１１を有し、下端に一対の脚部用開口１２を有するトランクスタイプの使い捨ておむつ１が形成される。使い捨ておむつ１では、本体部２が前方部被覆シート３１、後方部被覆シート３２および折り返し用部材４１により被覆されることにより隠蔽される。
【００３０】
図５は、使い捨ておむつ１の折り返し部４近傍を示す断面図である。図５では、使い捨ておむつ１の腹側のみを描き、背側については図示を省略する（図１８を除き、以下の断面図についても同様）。また、ホットメルト接着剤５を強調して示している。図５に示すように、折り返し用部材４１は、左右方向の両側の端部４１１を着用者側とは反対側で内側に折り曲げられた（いわゆる、Ｃ字状に折り曲げられた）略矩形のシート状の単一部材であり、両側の端部４１１は、切り込み部３０の左右方向の両側において前方部被覆シート３１に内側（着用者側）からホットメルト接着剤５により接合される。これにより、切り込み部３０の両側から左右へと１回だけ折り返された形状（すなわち、左側の切り込み３０１から一旦左側に折り曲げられ、さらに右側に折り曲げられた形状、および、右側の切り込み３０１から一旦右側に折り曲げられ、さらに左側に折り曲げられた形状）を有する折り返し部４が形成される。折り返し部４近傍では、前方部被覆シート３１と折り返し用部材４１により、２つの切り込み３０１の両側に断面がＺ字状および逆Ｚ字状となる形状が形成される。前方部被覆シート３１の２つの切り込み３０１に挟まれる帯状の部位３０２は、折り返し用部材４１の中央部分にホットメルト接着剤５を介して接合される。
【００３１】
使い捨ておむつ１では、折り返し用部材４１が左右方向の中央部分において本体部２の前方部２ａにホットメルト接着剤５を介して接合されており、着用者の歩行時等、前方部被覆シート３１が着用者の脚により前方に押し出される場合に、折り返し用部材４１の本体部２との接合部の両側の部位（すなわち、折り返された部位）が前方へと伸びる。図６は、折り返し用部材４１が前方へと伸びて折り返し部４が広がった状態における折り返し部４近傍を示す断面図である。図６に示すように、使い捨ておむつ１では、折り返し部４が広がって切り込み部３０の左右への広がりを可能とすることにより、着用者の脚の動きに対する制限を緩和する。その結果、使い捨ておむつ１では、被覆体３により脚の動きを妨げることなく本体部２を他人の視線から隠蔽することができる。
【００３２】
図７および図８は、使い捨ておむつ１の前方部被覆シート３１に設けられた切り込み部３０の他の例を示す折り返し部４近傍の断面図である。図７に示す例では、切り込み部３０は１つの切り込み３０１であり、折り返し用部材４１の折り畳まれた両端部４１１が１つの切り込み３０１の左右にて前方部被覆シート３１に接合されて折り返し部４が形成される。図８に示す例では、切り込み部３０は所定の幅を有する１つの切り欠き３０３であり、図８に示す前方部被覆シート３１は、図５に示す前方部被覆シート３１から２つの切り込み３０１に挟まれる帯状の部位３０２が取り除かれた形状を有する。そして、折り返し用部材４１の両側の折り畳まれた端部４１１が切り欠き３０３の左右にて前方部被覆シート３１に接合されることにより折り返し部４が形成される。
【００３３】
以上に説明したように、使い捨ておむつ１では、前方部被覆シート３１の上端（すなわち、胴体用開口１１の周囲）よりも所定の距離だけ下側の位置から下端に向かって設けられた切り込み部３０、および、切り込み部３０を塞ぎつつ切り込み部３０の左右への広がりを可能とする折り返し部４が設けられるため、胴体用開口１１の形状が折り返し部４の形状の影響を受けることはなく、胴体用開口１１の周囲における厚さの均一性を向上することにより、着用者にごわつき感を与えることを抑制して使い捨ておむつ１の着用感を向上することができる。また、前方部被覆シート３１および後方部被覆シート３２の下端部３１２，３２２がそれぞれ、左右方向の中央近傍において本体部２の折り曲げ部２ｃに接合され、前方部被覆シート３１と後方部被覆シート３２とが非接合状態とされることにより、着用者の股下部における前方部被覆シート３１と後方部被覆シート３２との接合を省略し、両被覆シートの接合部が着用者の内腿の肌に接触することを防止することにより、使い捨ておむつ１の着用感をさらに向上することができる。
【００３４】
使い捨ておむつ１では、前方部被覆シート３１とは独立した別部材である折り返し用部材４１が用いられ、切り込み部３０の両側において前方部被覆シート３１に折り返し用部材４１が接合されて折り返し部４が形成される。その結果、前方部被覆シート３１の中央近傍における折り返し加工を省略することができ、製造装置の複雑化を防止しつつ折り返し部４を容易に形成することができる。また、折り返し用部材４１に対する折り曲げ加工を、折り返し用部材４１の左右の端部４１１に対してそれぞれ１回ずつとすることにより、折り返し部４をさらに容易に形成することができる。
【００３５】
図９ないし図１１は、折り返し用部材４１とは異なる形状の折り返し用部材４１ａを有する使い捨ておむつの他の例を示す折り返し部４近傍の断面図である。折り返し用部材４１ａは、折り返し用部材４１と同様に、略矩形のシート状の単一部材であり、左右方向の両側を着用者側とは反対側にて一旦内側に折り曲げ、さらに外側に折り曲げた形状、すなわち、左右方向の両側がＺ字状および逆Ｚ字状に折り返された形状を有する。
【００３６】
図９ないし図１１に示す例では、上記形状を有する折り返し用部材４１ａの両側の端部４１１ａ（すなわち、外側に折り曲げられた部位）が、図５、図７および図８と同様の切り込み部３０がそれぞれ設けられた前方部被覆シート３１において、切り込み部３０の両側に接合されて折り返し部４が形成される。また、折り返し用部材４１ａの中央部は本体部２の前方部２ａに接合される。
【００３７】
図１２は、折り返し用部材４１ａを有する使い捨ておむつのさらに他の例を示す分解斜視図である。図１２に示す例では、折り返し用部材４１ａが、前方部被覆シート３１に対して着用者側とは反対側から接合されることにより折り返し部４が形成される。より詳細には、前方部被覆シート３１には図４の場合と同様に、上端よりも所定の距離だけ下側の位置から下端部のエッジに向かって２つの切り込み３０１が切り込み部３０として形成されており、折り返し用部材４１ａの折り畳まれた両側の端部４１１ａが切り込み部３０の両側に沿って接合され、中央部が２つの切り込み３０１の間の部位と接合される。そして、後方部被覆シート３２、本体部２および前方部被覆シート３１が順に積層される。これにより、折り返し用部材４１ａの両側の端部４１１ａが展開されることにより、切り込み部３０を外側から覆いつつ切り込み部３０の左右への広がりが可能とされる。
【００３８】
図９ないし図１２に示す使い捨ておむつについても、第１の実施の形態と同様に、脚の動きを妨げることなく本体部２を他人の視線から隠蔽することができる。また、胴体用開口１１の周囲における厚さの均一性を向上することにより、使い捨ておむつの着用感を向上することができる。さらに、折り返し部４を容易に形成することができる。
【００３９】
図１３は、本発明の第２の実施の形態に係る使い捨ておむつ１ａの折り返し部４近傍を示す断面図である。使い捨ておむつ１ａは、図５に示す折り返し用部材４１に代えて、折り返し用部材４１とは形状の異なる２つの折り返し用部材４１ｂ，４１ｃを備える。他の構成は図５と同様であり、以下の説明において同符号を付す。
【００４０】
前方部被覆シート３１には２つの切り込み３０１が切り込み部３０として形成されており、２つの切り込み３０１の間の帯状の部位３０２が、本体部２の前方部２ａに接合される。折り返し用部材４１ｂ，４１ｃは、前方部被覆シート３１とは独立した部材であり、互いに同じ形状を有するシート状の部材とされる。折り返し用部材４１ｂは、図１３中における切り込み部３０の左側（すなわち、左側の切り込み３０１の左側）にて、前方部被覆シート３１および本体部２の前方部２ａに折り曲げられることなく接合され、折り返し用部材４１ｃも同様に、切り込み部３０の右側にて折り曲げられることなく、前方部被覆シート３１および本体部２の前方部２ａに接合される。
【００４１】
折り返し用部材４１ｂの右側の端部４１１ｂは、切り込み部３０の左側に重ねて（すなわち、折り返し用部材４１ｂの右側の端部４１１ｂのエッジを、前方部被覆シート３１の切り込み部３０の左側の部位のエッジにほぼ一致させて）前方部被覆シート３１に接合され、左側の端部４１１ｂは、切り込み部３０よりも左側にて本体部２の前方部２ａに接合される。同様に、折り返し用部材４１ｃの左側の端部４１１ｃは、切り込み部３０の右側に重ねて前方部被覆シート３１に接合され、右側の端部４１１ｃは、切り込み部３０よりも右側にて本体部２の前方部２ａに接合される。
【００４２】
使い捨ておむつ１ａでは、折り返し用部材４１ｂ，４１ｃおよび前方部２ａの中央部分により折り返し部４が形成され、被覆体３により脚の動きが妨げられることなく本体部２の大部分が他人の視線から隠蔽される。なお、使い捨ておむつ１ａでは、折り返し部４が左右に広がった場合、本体部２の前方部２ａの一部（すなわち、帯状の部位３０２の接合部と折り返し用部材４１ｂ，４１ｃとの間の部分）が露出するが、露出部分はごく僅かに抑えられる。また、必要に応じて露出部分に予め他の被覆体が接合されていてもよい。
【００４３】
図１４および図１５はそれぞれ、図７および図８と同様の形状を有する切り込み部３０が設けられた使い捨ておむつ１ａの折り返し部４近傍を示す断面図である。図１４に示す例では、切り込み部３０は１つの切り込み３０１であり、折り返し用部材４１ｂの右側の端部４１１ｂが、切り込み３０１の左側に重ねて前方部被覆シート３１に接合され、左側の端部４１１ｂが、切り込み３０１よりも左側にて本体部２の前方部２ａに接合される。そして、折り返し用部材４１ｃも同様に切り込み３０１の右側にて前方部被覆シート３１および本体部２の前方部２ａに接合されることにより、折り返し用部材４１ｂ，４１ｃおよび前方部２ａの中央部分により折り返し部４が形成される。図１５に示す例についても同様に、折り返し用部材４１ｂ，４１ｃが、切り込み部３０である巾を有する１つの切り欠き３０３の左右にて前方部被覆シート３１および本体部２の前方部２ａに接合されて折り返し部４が形成される。
【００４４】
以上に説明したように、使い捨ておむつ１ａでは、第１の実施の形態と同様に、前方部被覆シート３１とは別部材である折り返し用部材４１ｂおよび折り返し用部材４１ｃ、並びに、本体部２の前方部２ａにより折り返し部４が形成されることにより、折り返し部４を容易に形成することができる。特に、使い捨ておむつ１ａでは、折り返し用部材４１ｂ，４１ｃに折り曲げ加工を施す必要がないため、折り返し部４をさらに容易に形成することができる。
【００４５】
使い捨ておむつ１ａでは、第１の実施の形態と同様に、前方部被覆シート３１の上端よりも所定の距離だけ下側に設けられた切り込み部３０を塞ぎつつ各切り込み部の左右への広がりを可能とする折り返し部４が設けられるため、胴体用開口１１の周囲における厚さの均一性を向上することにより、使い捨ておむつ１の着用感を向上することができる。また、前方部被覆シート３１および後方部被覆シート３２の下端部３１２，３２２がそれぞれ、左右方向の中央近傍において本体部２の折り曲げ部２ｃに接合され、前方部被覆シート３１と後方部被覆シート３２とが非接合状態とされるため、両被覆シートの接合部が肌に接触することを防止することにより、使い捨ておむつ１ａの着用感をさらに向上することができる。なお、このような使い捨ておむつの胴体用開口１１および脚部用開口１２の周囲における着用感の向上は、以下の第３および第４の実施の形態においても同様に実現される。
【００４６】
図１６は、本発明の第３の実施の形態に係る使い捨ておむつの折り返し部４近傍を示す断面図である。第３の実施の形態に係る使い捨ておむつでは、前方部被覆シート３１を形成するシートにおいて、図１７に示すように上端よりも所定の距離だけ下側の位置から下端に向かって形成された切り込み３０４の両側の部位３４１（図１６および図１７中に二点鎖線にて示す。）が着用者側に折り曲げられ、この折り曲げられた部位３４１が、図１６に示すように本体部２の前方部２ａに接合されることにより折り返し部４が形成される。このように、第３の実施の形態に係る使い捨ておむつでは、前方部被覆シート３１を形成するシートの一部、および、本体部２の前方部２ａの中央部分により、前方部被覆シート３１と別部材を用いることなく折り返し部４を容易に形成することができる。
【００４７】
図１８は、本発明の第４の実施の形態に係る使い捨ておむつの折り返し部４近傍を示す断面図である。第４の実施の形態に係る使い捨ておむつでは、前方部被覆シート３１側および後方部被覆シート３２側の双方に図５と同様の折り返し部４，４ａが設けられる。すなわち、後方部被覆シート３２においても上端より所定の距離だけ下側の位置から下端に向かって２つの切り込み３０１である切り込み部３０ａが形成され、切り込み部３０側の折り返し用部材４１と同様の形状（すなわち、左右方向の両側の端部４１１ｄを着用者側とは反対側で内側に折り曲げられた略矩形のシート状）を有する折り返し用部材４１ｄが、切り込み部３０ａの左右方向の両側において後方部被覆シート３２に着用者側から接合される。また、折り返し用部材４１ｄの中央部分は本体部２の後方部２ｂに接合される。これにより、切り込み部３０ａの両側から左右へと１回だけ折り返された形状を有し、切り込み部３０ａを塞ぎつつ切り込み部３０ａの左右への広がりを可能とする折り返し部４ａが後方部被覆シート３２に形成される。その結果、被覆体３により本体部２を隠蔽しつつ、着用者の脚の動きに対する制限をより緩和することができる。
【００４８】
以上、本発明の実施の形態について説明してきたが、本発明は上記実施の形態に限定されるものではなく、様々な変更が可能である。
【００４９】
例えば、上記実施の形態では、本体部２は２つに折り畳まれたシート状であって、重ね合わされた左右方向の端部は互いに接合されていない形状とされるが、本体部２は、左右の端部が互いに接合されたいわゆるパンツタイプのものとされてもよい。
【００５０】
使い捨ておむつでは、折り返し部４は、切り込み部３０の両側から左右へと少なくとも１回以上折り返された形状を有していればよく、例えば、切り込み部３０の左右へと複数回折り返された蛇腹状とされてもよい。また、折り返し部４が設けられる位置は、使い捨ておむつの左右方向の中央部分には限定されず、例えば、一対の脚部用開口１２の上側かつ腹側（および背側）の中央部分にそれぞれ１つずつ設けられてもよい。
【００５１】
使い捨ておむつでは、前方部被覆シート３１に設けられる切り込み部３０の切り込み３０１は、前方部被覆シート３１が完全に切断された状態でなくてもよく、例えば、ミシン目状に部分的に切断された状態とされて着用時の小さい引張力により切り込み部３０が破れて左右への広がりが可能とされてもよい（第４の実施の形態においては、後方部被覆シート３２の切り込み３０１についても同様）。
【００５２】
前方部被覆シート３１、後方部被覆シート３２、本体部２および折り返し用部材等の各構成の接合は、ホットメルト接着剤５以外の接着剤による接着、超音波接合、または、熱の付与および押圧を伴う接合（いわゆる、ヒートシール）により行われてもよい。
【図面の簡単な説明】
【００５３】
【図１】第１の実施の形態に係る使い捨ておむつの構成を示す図である。
【図２】本体部の平面図である。
【図３】本体部の断面図である。
【図４】使い捨ておむつの分解斜視図である。
【図５】折り返し部近傍の断面図である。
【図６】折り返し部近傍の断面図である。
【図７】切り込み部の他の例を示す折り返し部近傍の断面図である。
【図８】切り込み部の他の例を示す折り返し部近傍の断面図である。
【図９】使い捨ておむつの他の例に係る折り返し部近傍の断面図である。
【図１０】使い捨ておむつの他の例に係る折り返し部近傍の断面図である。
【図１１】使い捨ておむつの他の例に係る折り返し部近傍の断面図である。
【図１２】使い捨ておむつの他の例に係る分解斜視図である。
【図１３】第２の実施の形態に係る使い捨ておむつの折り返し部近傍の断面図である。
【図１４】切り込み部の他の例を示す折り返し部近傍の断面図である。
【図１５】切り込み部の他の例を示す折り返し部近傍の断面図である。
【図１６】第３の実施の形態に係る使い捨ておむつの折り返し部近傍の断面図である。
【図１７】前方部被覆シートを形成するシートの平面図である。
【図１８】第４の実施の形態に係る使い捨ておむつの折り返し部近傍の断面図である。
【符号の説明】
【００５４】
１，１ａ    使い捨ておむつ
２    本体部
２ａ    前方部
２ｂ    後方部
２ｃ    折り曲げ部
４，４ａ    折り返し部
１１    胴体用開口
１２    脚部用開口
３０，３０ａ    切り込み部
３１    前方部被覆シート
３２    後方部被覆シート
３０４    切り込み
３１１，３２１    上端部
３１２，３２２    下端部
４１，４１ａ〜４１ｄ    折り返し用部材
４１１，４１１ａ〜４１１ｄ    端部
【図１】
2006149464.tif 000003
【図２】
2006149464.tif 000004
【図３】
2006149464.tif 000005
【図４】
2006149464.tif 000006
【図５】
2006149464.tif 000007
【図６】
2006149464.tif 000008
【図７】
2006149464.tif 000009
【図８】
2006149464.tif 000010
【図９】
2006149464.tif 000011
【図１０】
2006149464.tif 000012
【図１１】
2006149464.tif 000013
【図１２】
2006149464.tif 000014
【図１３】
2006149464.tif 000015
【図１４】
2006149464.tif 000016
【図１５】
2006149464.tif 000017
【図１６】
2006149464.tif 000018
【図１７】
2006149464.tif 000019
【図１８】
2006149464.tif 000020